(57)【特許請求の範囲】
【請求項１】
電力系統の監視、制御を行う電力系統監視制御システムであって、
複数の電力系統設備データベースを夫々保存する複数の電力系統設備情報データと、
前記電力系統の監視制御を行う複数の電力系統監視制御手段と、
電力系統設備データベースメンテナンス手段と、電力系統監視制御システム構成制御手段と、電力系統監視制御機能コントロール手段と、電力系統設備データベース切替え順位編集手段と、電力系統設備データベース切替え順位保存手段と、
を備え、
前記電力系統設備データベースメンテナンス手段は、入力装置からの指示に基づいて前記複数の電力系統設備データベースのうちメンテナンス対象の電力系統設備データベースのメンテナンスを実行し、メンテナンス後の前記電力系統設備データベースを前記複数の電力系統設備情報データのうち前記電力系統監視制御手段にて使用されていない電力系統設備情報データに保存し、メンテナンス後の前記電力系統設備データベースを保存した前記電力系統設備情報データを前記電力系統監視制御システム構成制御手段に通知し、
前記電力系統監視制御システム構成制御手段は、前記複数の電力系統監視制御手段のうち運用していない前記電力系統監視制御手段及びメンテナンス後の前記電力系統設備データベースを保存した前記電力系統設備情報データを前記電力系統監視制御機能コントロール手段に通知し、
前記電力系統監視制御機能コントロール手段は、運用していない前記電力系統監視制御手段にメンテナンス後の前記電力系統設備データベースの読み込みを指令し、
前記電力系統設備データベース切替え順位編集手段は、前記入力装置によって入力された前記電力系統設備データベースの切替え順位を前記電力系統監視制御機能コントロール手段の下で実行する各実行プログラム単位に編集し、
前記電力系統設備データベース切替え順位保存手段は、前記電力系統設備データベース切替え順位編集手段により編集された前記電力系統設備データベースの切替え順位を前記各実行プログラムの起動順位と直前に実行された実行プログラムからの起動間隔とを対応付けたデータ構成で保存し、
更に、前記電力系統監視制御機能コントロール手段は、前記電力系統設備データベース切替え順位保存手段に保存された前記各実行プログラムの起動順位と前記起動間隔に基づいて、実行プログラム毎に、運用している前記電力系統監視制御手段に対して監視制御の機能を終了するよう終了通知を行い、運用していない前記電力系統監視制御手段に対して運用している前記電力系統監視制御手段の監視制御の機能の終了から前記起動間隔を置いて監視制御の機能を開始するよう開始通知を行う、
ことを特徴とする電力系統監視制御システム。
【発明の詳細な説明】
【技術分野】
【０００１】
本発明は、例えば電力系統設備の変更等の際に、それに伴ない設備データベースを更新して監視、制御を継続して行うようにした電力系統監視制御システムに関する。
【背景技術】
【０００２】
従来、電力系統監視制御システムでは、電力系統設備データベース格納エリアを予め複数エリア用意しておき、電力系統設備の変更が行なわれた場合、現在使用している電力系統設備データベースの格納エリアと違う格納エリアに、変更が行なわれた後の電力系統設備データベースを格納し、データベースの格納後、電力系統監視制御手段による電力系統の監視、制御を一旦終了する。そして、新たに格納した変更後の電力系統設備データベースを読み出し、電力系統監視制御手段による電力系統の監視、制御を再開するようにしている。
【０００３】
こうした電力系統監視制御システムは、例えば図５に示す電力系統監視制御システム１０１のように、入力装置１０２、電力系統設備データベースメンテナンス手段１０３、電力系統監視制御システム構成制御手段１０４、複数の電力系統設備情報データ１０５ａ，１０５ｂ，…１０５ｎ、電力系統監視制御手段１０６、電力系統監視制御情報データ１０７を備えた構成となっており、電力系統監視制御システム１０１の各装置、手段における各機能は、それぞれコンピュータで実行可能にプログラムされ、コンピュータによる制御のもとに実行されるようになっている。
【０００４】
そして、この構成のシステムでは、電力系統設備の変更等に伴うメンテナンスを行なう場合、電力系統監視制御システム１０１の保守員が、入力装置１０２を介し電力系統設備データベースメンテナンス手段１０３によって電力系統設備データベースの変更を実施し、現在使用している電力系統設備情報データ１０５ａと重複しない使用していない電力系統設備情報データ１０５ｂに変更した電力系統設備データベースのコピーを行う。コピーの完了後、電力系統監視制御情報データ１０７に保存されたデータベースに基づき運用される電力系統監視制御手段１０６に対して機能の再起動通知を行う。再起動の通知を受けることにより電力系統監視制御手段１０６は、電力系統設備情報データ１０５ａによる電力系統の監視、制御の機能を一旦終了した後、電力系統設備情報データ１０５ｂの変更した電力系統設備データベースの読み込みを行い、電力系統の監視、制御を再開する。
【０００５】
そのため、このような電力系統監視制御システム１０１では、電力系統設備データベースのメンテナンスの際、電力系統の監視制御機能を一旦終了させ、新たに変更後の電力系統設備データベースを読み込み、電力系統の監視制御機能を再開させる必要があり、メンテナンスを完了するまでに時間を要し、一時的に電力系統の監視制御に空白が生じる虞があった。
【０００６】
なお、その他の電力系統の監視、制御を行うシステムの設備データベースのメンテナンス方式として、オンラインで変更したデータ個別のメンテナンス情報を記憶するメンテナンス情報ファイルと、このメンテナンス情報ファイルを参照して設備データファイルからオンライン用設備データファイルへのデータ更新時、データ個別に更新の有無を判別することにより、オンライン更新されたデータを保持するデータ更新機能部を設けることで、オペレータがオンライン変更した情報の再入力を不要とする構成のものがある（例えば、特許文献１参照）。
【先行技術文献】
【特許文献】
【０００７】
【特許文献１】特開平５−２０４７３７号公報
【発明の概要】
【発明が解決しようとする課題】
【０００８】
本発明は、上記の状況に鑑みてなされたもので、その目的とするところは、電力系統設備データベースのメンテナンスを行う際に、電力系統の監視制御機能を一旦終了させることなく、メンテナンスを完了させることができ、またメンテナンスに要する時間を短縮でき、電力系統の監視制御に一時的に空白が生じる虞がなく、連続して稼動させることができる電力系統監視システムを提供することにある。
【課題を解決するための手段】
【０００９】
本発明の電力系統監視システムは、電力系統の監視、制御を行う電力系統監視制御システムであって、複数の電力系統設備データベースを夫々保存する複数の電力系統設備情報データと、前記電力系統の監視制御を行う複数の電力系統監視制御手段と、電力系統設備データベースメンテナンス手段と、電力系統監視制御システム構成制御手段と、電力系統監視制御機能コントロール手段と、電力系統設備データベース切替え順位編集手段と、電力系統設備データベース切替え順位保存手段と、を備え、前記電力系統設備データベースメンテナンス手段は、入力装置からの指示に基づいて前記複数の電力系統設備データベースのうちメンテナンス対象の電力系統設備データベースのメンテナンスを実行し、メンテナンス後の前記電力系統設備データベースを前記複数の電力系統設備情報データのうち前記電力系統監視制御手段にて使用されていない電力系統設備情報データに保存し、メンテナンス後の前記電力系統設備データベースを保存した前記電力系統設備情報データを前記電力系統監視制御システム構成制御手段に通知し、前記電力系統監視制御システム構成制御手段は、前記複数の電力系統監視制御手段のうち運用していない前記電力系統監視制御手段及びメンテナンス後の前記電力系統設備データベースを保存した前記電力系統設備情報データを前記電力系統監視制御機能コントロール手段に通知し、前記電力系統監視制御機能コントロール手段は、運用していない前記電力系統監視制御手段にメンテナンス後の前記電力系統設備データベースの読み込みを指令し、前記電力系統設備データベース切替え順位編集手段は、前記入力装置によって入力された前記電力系統設備データベースの切替え順位を前記電力系統監視制御機能コントロール手段の下で実行する各実行プログラム単位に編集し、前記電力系統設備データベース切替え順位保存手段は、前記電力系統設備データベース切替え順位編集手段により編集された前記電力系統設備データベースの切替え順位を前記各実行プログラムの起動順位と直前に実行された実行プログラムからの起動間隔とを対応付けたデータ構成で保存し、更に、前記電力系統監視制御機能コントロール手段は、前記電力系統設備データベース切替え順位保存手段に保存された前記各実行プログラムの起動順位と前記起動間隔に基づいて、実行プログラム毎に、運用している前記電力系統監視制御手段に対して監視制御の機能を終了するよう終了通知を行い、運用していない前記電力系統監視制御手段に対して運用している前記電力系統監視制御手段の監視制御の機能の終了から前記起動間隔を置いて監視制御の機能を開始するよう開始通知を行う、ことを特徴とする電力系統監視制御システムである。
【発明の効果】
【００１１】
本発明によれば、電力系統設備データベースのメンテナンスを行う際に、電力系統の監視制御機能を一旦終了させることなく、メンテナンスを完了させることができ、またメンテナンスに要する時間を短縮でき、電力系統の監視制御に一時的に空白が生じる虞がなく、連続して稼動させることができる等の効果を有する。
【図面の簡単な説明】
【００１２】
【図１】本発明の第１の実施形態に係る電力系統監視制御システムの機能ブロック図である。
【図２】本発明の第２の実施形態に係る電力系統監視制御システムの機能ブロック図である。
【図３】本発明の第２の実施形態における電力系統設備データベース切替え順位保存手段を説明するために示す図である。
【図４】本発明の第３の実施形態に係る電力系統監視制御システムの機能ブロック図である。
【図５】背景技術に係る電力系統監視制御システムの機能ブロック図である。
【発明を実施するための形態】
【００１３】
以下本発明の実施の形態を、図面を参照して説明する。なお、背景技術と同一部分には同一符号を付して説明を省略し、背景技術と異なる本発明の実施の形態の構成について説明する。
【００１４】
（第１の実施形態）
先ず本発明の第１の実施形態を図１により説明する。
【００１５】
図１に示すように、電力系統監視制御システム１は、保守員が入力を行う入力装置１０２と、電力系統設備データベースメンテナンス機能を有して入力装置１０２への入力内容に応じて電力系統設備データベースの変更等に伴うメンテナンスを行なう電力系統設備データベースメンテナンス手段１０３と、電力系統で使用する電力系統設備データベースやメンテナンスがなされた電力系統設備データベースなどを保存するファイルである複数備えられた電力系統設備情報データ（Ａ）１０５ａ，電力系統設備情報データ（Ｂ）１０５ｂ，…，電力系統設備情報データ（Ｎ）１０５ｎを備えている。
【００１６】
さらに、電力系統監視制御システム１は、電力系統の監視、制御を行うための電力系統監視制御データベースを保存するファイルである電力系統監視制御情報データ２と、電力系統監視制御機能を有して電力系統監視制御データベースに基づき電力系統を監視、制御する少なくとも２つ設けられた電力系統監視制御手段（Ｉ）３ａ，電力系統監視制御手段（II）３ｂと、電力系統監視制御システム構成制御機能を有して電力系統監視制御システム１のシステム全体の運転モードを管理する電力系統監視制御システム構成制御手段１０４と、電力系統監視制御機能内の各実行プログラムの開始停止をコントロールする電力系統監視制御機能コントロール機能を有して電力系統監視制御システム構成制御手段１０４からの通知等に基づき電力系統監視制御手段（Ｉ）３ａ，電力系統監視制御手段（II）３ｂに指令等行う電力系統監視制御機能コントロール手段４を備えて構成されている。
【００１７】
そして、上述の構成の電力系統監視制御システム１では、電力系統の設備変更等に伴う電力系統設備データベースのメンテナンスを実行する場合、先ず、電力系統監視制御システム１の保守員が、入力装置１０２を介し電力系統設備データベースメンテナンス手段１０３によって電力系統設備データベースを変更等するメンテナンス作業を実施する。メンテナンス作業が完了すると、電力系統設備データベースメンテナンス手段１０３は、例えば電力系統で運用中の電力系統監視制御手段（Ｉ）３ａが使用している電力系統設備情報データ１０５ａと重複しない使用していない電力系統設備情報データ１０５ｂにメンテナンス後の電力系統設備データベースの保存を行う。
【００１８】
電力系統設備情報データ１０５ｂへのメンテナンス後の電力系統設備データベースの保存が完了すると、電力系統設備データベースメンテナンス手段１０３は電力系統監視制御システム構成制御手段１０４に、メンテナンス後の電力系統設備データベースを電力系統設備情報データ１０５ｂに保存したとの保存先通知を行う。そして電力系統監視制御システム構成制御手段１０４は、電力系統監視制御手段（Ｉ）３ａと電力系統監視制御手段（II）３ｂのどちらを電力系統で運用中であるかの判断を行い、現在運用していないのは電力系統監視制御手段（II）３ｂであること及びメンテナンス後の電力系統設備データベースの保存先が電力系統設備情報データ１０５ｂであることを電力系統監視制御機能コントロール手段４に通知する。
【００１９】
この通知を受けた電力系統監視制御機能コントロール手段４は、運用していない電力系統監視制御手段（II）３ｂに、メンテナンス後の電力系統設備データベースの保存先が電力系統設備情報データ１０５ｂであることを通知し、その電力系統設備情報データ１０５ｂからメンテナンス後の電力系統設備データベースを読み込むことを指令する。さらに、電力系統監視制御機能コントロール手段４は、メンテナンス後の電力系統設備データベースの読み込の完了を確認した後、運用中の電力系統監視制御手段（Ｉ）３ａに対し機能終了通知を行い、また運用していない電力系統監視制御手段（II）３ｂに対して、運用中の電力系統監視制御手段（Ｉ）３ａの機能終了と同時に機能開始するように機能開始通知を行い、使用する電力系統設備データベースの切替えを完了する。
【００２０】
その結果、上述の構成の本実施形態によれば、電力系統監視制御システム１における現在使用している電力系統設備データベースからメンテナンス後の電力系統設備データベースへの切替えを、監視制御機能の停止を伴わず、電力系統の監視、制御に空白が生じることなく、短時間で完了させることができるという効果を有する。
【００２１】
（第２の実施形態）
次に本発明の第２の実施形態を図２及び図３により説明する。なお、本実施形態は、第１の実施形態と電力系統設備データベースの切替え順位を編集可能とする点が異なるのみで、他の点については第１の実施形態と同様の構成であるため、同一部分は同一符号を付して説明を省略し、異なる点について説明する。
【００２２】
図２及び図３に示すように、電力系統監視制御システム１１は、電力系統監視制御機能内の各実行プログラム単位に電力系統設備データベースの切替え順位を編集する電力系統設備データベース切替え順位編集機能を有して入力装置１０２への入力内容に応じて電力系統設備データベースの切替え順位の編集を行う電力系統設備データベース切替え順位編集手段１２と、編集された電力系統設備データベース切替え順位を保存する電力系統設備データベース切替え順位保存手段１３とを、第１の実施形態の電力系統監視制御システム１における入力装置１０２と電力系統監視制御機能コントロール手段４との間に追加した構成となっている。
【００２３】
また電力系統設備データベース切替え順位保存手段１３は、例えば図３に示すようなデータ構成で保存されている。すなわち、図３の起動順位には、各実行プログラムの起動を行う順位１、２、３、…、ｎが格納され、起動プログラム名には対象のプログラム名称である例えば順位１に対応してプログラム００１、順位２に対応してプログラム０２１、順位３に対応してプログラム０３３、…、順位ｎに対応してプログラム１１１が格納され、さらに起動間隔には直前に起動された実行プログラムからの起動間隔、例えばプログラム００１に対しては０ｍｓ、プログラム０２１に対しては０ｍｓ（すなわち、プログラム００１の終了と同時）、またプログラム０３３に対しては５０ｍｓ（すなわち、プログラム０２１の終了から５０ｍｓ後に起動）、…、プログラム１１１に対しては２０ｍｓ（すなわち、直前のプログラムの終了から２０ｍｓ後に起動）がそれぞれ格納される。
【００２４】
そして、上述の構成の電力系統監視制御システム１１では、電力系統設備データベースの切替え順位を設定して電力系統を監視制御する場合、先ず、電力系統監視制御システム１１の保守員が、入力装置１０２に入力することによって電力系統設備データベースの切替えの順番を電力系統設備データベース切替え順位編集手段１２に設定する。切替えの順番が設定されると、電力系統設備データベース切替え順位編集手段１２で電力系統設備データベースの切替えを行う順番を、電力系統監視制御機能コントロール手段４の下で実行する各実行プログラム単位に編集を行う。その後、電力系統設備データベース切替え順位保存手段１３に編集された電力系統設備データベースの切替え順位を、例えば図３に示すように実行プログラムの起動を行う順位として保存する。
【００２５】
電力系統設備データベースの切替え順位の保存が行なわれると、電力系統監視制御機能コントロール手段４は、電力系統設備データベース切替え順位保存手段１３に保存された実行プログラムの起動順位に従い、実行プログラム毎に、例えば運用中の電力系統監視制御手段（Ｉ）３ａに対し機能終了通知を行い、また運用していない電力系統監視制御手段（II）３ｂに対して、運用中の電力系統監視制御手段（Ｉ）３ａの機能終了から指定された起動間隔を置いて機能開始するように機能開始通知を行い、使用する電力系統設備データベースの切替えを完了する。
【００２６】
その結果、上述の構成の本実施形態によれば、第１の実施形態と同様の効果を有すると共に、電力系統監視制御システム１１における電力系統監視制御手段（Ｉ）３ａ、電力系統監視制御手段（II）３ｂ内の各機能の連続性を確保したまま電力系統設備データベースの切替えが可能となるという効果を有する。
【００２７】
（第３の実施形態）
次に本発明の第３の実施形態を図４により説明する。なお、本実施形態は、第１の実施形態と使用する電力系統設備データベースの切戻しを可能とする点が異なるのみで、他の点については第１の実施形態と同様の構成であるため、同一部分は同一符号を付して説明を省略し、異なる点について説明する。
【００２８】
図４に示すように、電力系統監視制御システム２１は、電力系統設備データベースの切戻しを即座に実施する電力系統設備データベース切戻し機能を有して入力装置１０２への入力内容に応じて電力系統設備データベースを切替え前の電力系統設備データベースに切戻しを行う電力系統設備データベース切戻し手段２２を、第１の実施形態の電力系統監視制御システム１における入力装置１０２と電力系統監視制御システム構成制御手段１０４との間に追加した構成となっている。
【００２９】
そして、上述の構成の電力系統監視制御システム２１では、切替え前の電力系統設備データベースに切戻しを行う場合、先ず、電力系統監視制御システム２１の保守員が、入力装置１０２を介し電力系統設備データベース切戻し手段２２に電力系統設備データベースの切戻しの指示をする。指示を受けた電力系統設備データベース切戻し手段２２は、切戻しを行う切替え前の電力系統設備データベースを保存する、例えば電力系統設備情報データ１０５ａを電力系統監視制御システム構成制御手段１０４に通知する。
【００３０】
その後、電力系統監視制御機能コントロール手段４は、電力系統監視制御システム構成制御手段１０４からの例えば運用していないのが電力系統監視制御手段（Ｉ）３ａであり、切替え前の電力系統設備データベースを保存するのが電力系統設備情報データ１０５ａであるとの通知を受け、運用していない電力系統監視制御手段（Ｉ）３ａに切替え前の電力系統設備データベースの読み込みを指令する。さらに、運用していない電力系統監視制御手段（Ｉ）３ａの読込みが完了すると、電力系統監視制御機能コントロール手段４の指令により、運用している電力系統監視制御手段（II）３ｂによる電力系統の監視、制御を終了させると同時に、電力系統設備情報データ１０５ａに保存されている切替え前の電力系統設備データベースを使用して運用していない電力系統監視制御手段（Ｉ）３ａによる電力系統の監視、制御を開始させる。
【００３１】
その結果、上述の構成の本実施形態によれば、第１の実施形態と同様の効果を有すると共に、電力系統監視制御システム２１における監視制御機能の停止を伴わず、電力系統の監視、制御に空白が生じることなく、短時間で電力系統設備データベースの切戻しを完了させることができるという効果を有する。
【００３２】
なお、上記の各実施形態の電力系統監視制御システム１，１１，２１の各装置、手段で電力系統の監視、制御を実行するための各機能はコンピュータ上に構築されていて、それぞれコンピュータで実行可能となるようにプログラムされ、形成された電力系統監視プログラムをロードすることによって、コンピュータによる監視、制御が実行されるようになっている。
【００３３】
また、各機能を実行するための電力系統監視プログラムは、例えば磁気ディスク、光ディスク、半導体メモリなどの記録媒体に書き込み、各システム、装置のコンピュータに読み込ませることによって適用したり、通信媒体より伝送して各システムのコンピュータに読み込ませることによって適用するようにしてもよい。
【符号の説明】
【００３４】
１，１１，２１…電力系統監視制御システム、２…電力系統設備情報データ、３ａ，３ｂ…電力系統監視制御手段、４…電力系統監視制御機能コントロール手段、１２…電力系統設備データベース切替え順位編集手段、１３…電力系統設備データベース切替え順位保存手段、２２…電力系統設備データベース切戻し手段、１０２…入力装置、１０３…電力系統設備データベースメンテナンス手段、１０４…電力系統監視制御システム構成制御手段、１０５ａ，１０５ｂ，…，１０５ｎ…電力系統設備情報データ
【図１】
0005537073.tif 000002
【図２】
0005537073.tif 000003
【図３】
0005537073.tif 000004
【図４】
0005537073.tif 000005
【図５】
0005537073.tif 000006